(57)【要約】【課題】ラップフィルム収納箱において、フィルムの巻き戻りを防止しつつ、仮留め部から剥がす際のラップフィルムの裂けを抑制する。【解決手段】ラップフィルム収納箱１は、フィルム巻回体Ｒから引き出されたラップフィルムＦを切断する鋸刃３０と、収納箱１の表面に形成され、鋸刃３０により切断された後に残るフィルム巻回体ＲのラップフィルムＦを仮留めする仮留め部４０と、を有している。仮留め部４０は、ラップフィルムＦの幅方向に形成され、当該仮留め部４０のラップフィルムＲの幅方向の少なくとも中央部Ｃは、ラップフィルムＦに対する接着性がラップフィルムＦの切断端Ｆ１に向かって弱くなるように形成されている。【選択図】図３
2015034045.tif 000002
【特許請求の範囲】
【請求項１】
ラップフィルムの筒状のフィルム巻回体を収納するラップフィルム収納箱であって、
前記フィルム巻回体から引き出されたラップフィルムを切断する切断部と、
収納箱の表面に形成され、前記切断部により切断された後に残る前記フィルム巻回体のラップフィルムを仮留めする仮留め部と、を有し、
前記仮留め部は、前記ラップフィルムの幅方向に形成され、当該仮留め部のラップフィルムの幅方向の少なくとも中央部は、前記ラップフィルムに対する接着性が前記ラップフィルムの切断端に向かって弱くなるように形成されている、ラップフィルム収納箱。
【請求項２】
前記仮留め部を前記ラップフィルムの幅方向に７等分したときの中央部の少なくとも３つの各領域において、前記ラップフィルムに対する接着性が前記ラップフィルムの切断端に向かって弱くなっている、請求項１に記載のラップフィルムの収納箱。
【請求項３】
前記仮留め部を前記ラップフィルムの幅方向に７等分したときの全ての各領域において、前記ラップフィルムに対する接着性が前記ラップフィルムの切断端に向かって弱くなっている、請求項１又は２に記載のラップフィルム収納箱。
【請求項４】
前記仮留め部の少なくとも一部が、前記ラップフィルムの切断端に向かい幅の狭くなる形体を有し、当該形体を前記ラップフィルムの幅方向に並べることによって、前記ラップフィルムに対する前記仮留め部の接着性が弱くなっている、請求項１〜３のいずれかに記載のラップフィルム収納箱。
【請求項５】
前記ラップフィルムの切断端に向かい幅の細くなる形体の先端が、前記ラップフィルムの中央側に向けられている、請求項４に記載のラップフィルム収納箱。
【請求項６】
前記仮留め部の少なくとも一部が、複数の点からなる形体を有し、当該複数の点の個数の密度を前記ラップフィルムの切断端に向かって下げる、及び／又は、前記複数の点の１点当たりの面積を小さくすることによって、前記ラップフィルムに対する前記仮留め部の接着性が弱くなっている、請求項１〜３のいずれかに記載のラップフィルム収納箱。
【請求項７】
前記仮留め部が、ＵＶ硬化のニスにより形成されている、請求項１〜６のいずれかに記載のラップフィルム収納箱。
【発明の詳細な説明】
【技術分野】
【０００１】
本発明は、特に食品包装用のラップフィルム、アルミホイル、クッキングシート等（以下、「ラップフィルム」と称す）のフィルム巻回体を収容するラップフィルム収納箱に関する。
【背景技術】
【０００２】
ラップフィルムは、通常、紙製の芯体に巻回されて筒状のフィルム巻回体を構成し、その状態で紙製の直方体状のラップフィルム収納箱に収納されている。通常、ラップフィルム収納箱の掩蓋片の先端には、フィルム巻回体から引き出されたラップフィルムを切断する、金属、紙又は樹脂製の鋸刃などの切断部が設けられている。
【０００３】
ところで、ラップフィルムを切断した後、切断後に残ったラップフィルムが収納箱内のフィルム巻回体に巻き戻ることがある。このようにラップフィルムが巻き戻ると、次の使用時に再びラップフィルムの先端部を剥がして引き出すのに手間がかかり、使い勝手を大きく損なうこととなる。そこで、ラップフィルム収納箱の前板に、切断後に残るラップフィルムを粘着して仮留めしておく仮留め部を設けることが提案されている（特許文献１、２参照）。
【０００４】
特許文献１に記載の技術では、前板の両端部に亘る帯状の仮留め部を形成し、その仮留め部には、長手中央部と長手両端部の３ヶ所で幅の狭くなる切欠き部が設けられている。また、特許文献２に記載の技術では、フィルム保持部が正面板の幅方向の中央部に塗布される第１の保持部と、この第１の保持部の両側に間隔を設けてなり、かつケース本体の正面板の左右最端部にまで塗布されている筋状の第２の保持部を備えている。
【先行技術文献】
【特許文献】
【０００５】
【特許文献１】特許第３１９５４６８号公報
【特許文献２】特開２００５−２１２８９４号公報
【発明の概要】
【発明が解決しようとする課題】
【０００６】
しかしながら、切断部により切断されたラップフィルムの切断端には、裂け目や傷ができやすいため、ラップフィルムを仮留め部から剥がすときに、その裂け目や傷を起点にラップフィルムが裂けることがある。よって、仮留め部からラップフィルムを剥がす際にラップフィルムが裂けないようにする工夫が必要である。ラップフィルムを剥がす際、無意識的にラップフィルムの中央付近をつまむ人がほとんどであるが、上述の特許文献１の箱において、ラップフィルムの中央付近をつまんで、仮留め部から剥がそうとした場合、仮留め部の底板側に突出した部分のラップフィルムの切断端に力が集中的にかかり、その部分からラップフィルムが裂ける恐れがある。
【０００７】
上述の特許文献２の箱において、仮留め部からラップフィルムを剥がそうとした場合、初めから、仮留め部の強い接着力に反してラップフィルムを剥がす必要があるため、ラップフィルムが裂けやすい。
【０００８】
本発明はかかる点に鑑みてなされたものであり、仮留め部でラップフィルムの巻き戻りを防止しつつ、次の使用時にラップフィルムの中央部をつまんで、ラップフィルムを裂けないように仮留め部から剥離できるラップフィルム収納箱を提供することをその目的とする。
【課題を解決するための手段】
【０００９】
本発明者は、鋭意研究を重ねた結果、仮留め部のラップフィルムに対する接着性をラップフィルムの切断端に向かって弱くすることで上記種々の課題が解決されることを見出し、本発明をなすに至った。すなわち、本発明は下記（１）〜（４）を提供する。
（１）ラップフィルムの筒状のフィルム巻回体を収納するラップフィルム収納箱であって、前記フィルム巻回体から引き出されたラップフィルムを切断する切断部と、収納箱の表面に形成され、前記切断部により切断された後に残る前記フィルム巻回体のラップフィルムを仮留めする仮留め部と、を有し、前記仮留め部は、前記ラップフィルムの幅方向に形成され、当該仮留め部のラップフィルムの幅方向の少なくとも中央部は、前記ラップフィルムに対する接着性が前記ラップフィルムの切断端に向かって弱くなるように形成されている、ラップフィルム収納箱。
（２）前記仮留め部を前記ラップフィルムの幅方向に７等分したときの中央部の少なくとも３つの各領域において、前記ラップフィルムに対する接着性が前記ラップフィルムの切断端に向かって弱くなっている、（１）に記載のラップフィルムの収納箱。
（３）前記仮留め部を前記ラップフィルムの幅方向に７等分したときの全ての各領域において、前記ラップフィルムに対する接着性が前記ラップフィルムの切断端に向かって弱くなっている、（１）又は（２）に記載のラップフィルム収納箱。
（４）前記仮留め部の少なくとも一部が、前記ラップフィルムの切断端に向かい幅の狭くなる形体を有し、当該形体を前記ラップフィルムの幅方向に並べることによって、前記ラップフィルムに対する前記仮留め部の接着性が弱くなっている、（１）〜（３）のいずれかに記載のラップフィルム収納箱。
（５）前記ラップフィルムの切断端に向かい幅の細くなる形体の先端が、前記ラップフィルムの中央側に向けられている、（４）に記載のラップフィルム収納箱。
（６）前記仮留め部の少なくとも一部が、複数の点からなる形体を有し、当該複数の点の個数の密度を前記ラップフィルムの切断端に向かって下げる、及び／又は、前記複数の点の１点当たりの面積を小さくすることによって、前記ラップフィルムに対する前記仮留め部の接着性が弱くなっている、（１）〜（３）のいずれかに記載のラップフィルム収納箱。
（７）前記仮留め部が、ＵＶ硬化のニスにより形成されている、（１）〜（６）のいずれかに記載のラップフィルム収納箱。
【発明の効果】
【００１０】
本発明のラップフィルム収納箱は、切断後のラップフィルムがラップフィルム収納箱内に巻き戻るのを防ぐとともに、仮留めされたラップフィルムのカット端側をつまんだ際に、剥離初期は容易に剥離できることでつまみ性を容易とし、かつ巻戻りを積極的に防止するための仮留め部の上方の領域を剥がすころには、ラップフィルムのカット端からの距離は遠くなるため、ラップフィルムのカット端から裂けるための抵抗はかかりにくく、ラップフィルムが裂けるトラブルを防ぐことができる。また、ラップフィルムが裂けるトラブルを修復する時に切断具の刃先に手指が当たり、手指を傷つけることがあったが、ラップフィルムが裂けるトラブル自体を防ぐことができるため、トラブルを修復する作業が必要でなくなり、そのため手指を傷つけることがなくなる。
【図面の簡単な説明】
【００１１】
【図１】本発明のラップフィルム収納箱の概略を示す斜視図である。
【図２】ラップフィルム収納箱の展開図である。
【図３】蓋部を開放したラップフィルム収納箱の斜視図である。
【図４】開封片を切り取る様子を示すラップフィルム収納箱の斜視図である。
【図５】仮留め部の例を示す前板の正面図である。
【図６】仮留め部の他の例を示す前板の正面図である。
【図７】仮留め部の他の例を示す説明図である。
【図８】仮留め部の他の例を示す説明図である。
【図９】仮留め部の他の例を示す説明図である。
【図１０】仮留め部の他の例を示す説明図である。
【図１１】つまみ片のあるラップフィルム収納箱の斜視図である。
【発明を実施するための形態】
【００１２】
本発明について、以下具体的に説明する。なお、以下の実施の形態は、本発明を説明するための例示であり、本発明はその実施の形態のみに限定されるものではない。なお、同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１３】
図１はラップフィルム収納箱１の概略を示す斜視図であり、図２は図１のラップフィルム収納箱１の表面側の展開図である。図３は蓋部を開けた状態のラップフィルム収納箱１の斜視図である。
【００１４】
図１及び図２に示すようにラップフィルム収納箱１は、全体が直方体形状を有し、例えば掩蓋片１０、蓋板１１、脇掩蓋片１２等からなる蓋部１３と、前板１４、底板１５、後板１６、脇板１７、折返し片１８等からなる収納部１９と、開封片２０とを有している。なお、折返し片１８は、前板１４の裏面（内面）側に折り返されるものであり、外観には現れない。
【００１５】
図３に示すように収納部１９は、上面開口１９ａを有する直方体状に形成され、例えば透明のラップフィルムＦが円筒状の芯体に巻かれたフィルム巻回体Ｒを上面開口部１９ａから収納できる。
【００１６】
図１に示すように蓋部１３の蓋板１１は、後板１６の上端縁から前方に延びて収納部１９の上面開口１９ａを覆っている。掩蓋片１０は、蓋板１１の前端縁から前板１４側に延びて前板１４の前面を覆っている。
【００１７】
なお、ラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００１８】
開封片２０は、収納部１９の前板１４の前面下部に位置し、ラップフィルム収納箱１の長手方向に沿って帯状に形成されている。開封片２０は、掩蓋片１０の先端縁に切り取り線２１を介して接続されている。開封前、開封片２０の裏面側は、図２に示す前板１４の複数の接着部２２に接着している。この開封片２０によって蓋部１３が封止されており、図４に示すように開封片２０を切り取り線２１に沿って切り取ることによって蓋部１３を開封することができる。
【００１９】
掩蓋片１０の先端部の裏側には、図３及び図４に示すように収納部１９のフィルム巻回体Ｒから引き出されたラップフィルムＦを切断する切断部としての鋸刃３０が設けられている。鋸刃３０は、ラップフィルム収納箱１（掩蓋片１０）の長手方向の両側端に亘って形成されている。鋸刃３０は、開封片２０を切り取った時に、掩蓋片１０の先端縁から下方に突出する位置に形成されている。鋸刃３０によって切断されたラップフィルムＦの先端には、切断端Ｆ１が形成される。なお、この鋸刃３０などの切断部の材質は、金属、プラスチック、バルカナイズドファイバー等であり、切断部の形状は、直線状、Ｖ状、アーチ状等従来公知のものであれば特に制限はない。
【００２０】
図２及び図３に示すように前板１４の表面には、切断後に残るフィルム巻回体ＲのラップフィルムＦを仮留めする仮留め部４０が形成されている。仮留め部４０は、例えばＵＶ硬化のニスにより形成され、粘着性を有している。仮留め部４０は、ラップフィルム収納箱１の長手方向の両端部間に亘り、当該長手方向（ラップフィルムＦの幅方向）に沿って連続的に形成されている。仮留め部４０は、例えば前板１４の両端から２０ｍｍ以内の両端付近まで形成されている。例えば仮留め部４０は、図５に示すように全体が帯状に形成され、その長手方向の中央部Ｃは、ラップフィルムＦに対する接着性がラップフィルムＦの切断端Ｆ１（前板１４の下側）に向かって弱くなるように形成されている。
【００２１】
具体的には、仮留め部４０の中央部Ｃは、前板１４の長手方向（図５のＸ方向）に沿って延在された同幅のベース部４０ａと、ベース部４０ａのラップフィルムの切断端Ｆ１側に設けられ、切断端Ｆ１に向かい幅の狭くなる三角状の形体４０ｂから構成されている。形体４０ｂは、前板１４の長手方向に複数並べられて、中央部Ｃの下端は、ジグザグ形状（鋸形状）になっている。中央部Ｃは、仮留め部４０を前板１４の長手方向に７等分したときの中央に近い３つの領域Ｃ１、Ｃ２、Ｃ３から構成されている。よって、この３つの狭小の各中央領域Ｃ１、Ｃ２、Ｃ３において、それぞれラップフィルムＦの切断端Ｆ１側に向かって面積が減少し接着性が低下している。逆に、各中央領域Ｃ１、Ｃ２、Ｃ３において、それぞれラップフィルムＦの切断端Ｆ１側から前板１４の上端側に向かって面積が増大し接着性が増している。各中央領域Ｃ１、Ｃ２、Ｃ３内では、複数の同じ形体４０ｂの繰り返しになっている。仮留め部４０の中央部Ｃの両側の側部Ｓは、上下幅が一定に形成されている。例えば中央領域Ｃと側部Ｓの上下幅は同じになっている。
【００２２】
切断後のラップフィルムＦは、前板１４に配置されている仮留め部４０に貼り着き仮留めされる。そして、次の使用時には、ラップフィルムＦの中央部をつまみ、ラップフィルムＦを仮留め部４０から剥がし、所望長さ引き延ばし、蓋部１３を閉めた状態で鋸刃３０によりラップフィルムＦを切断する。
【００２３】
本実施の形態によれば、仮留め部４０の中央部ＣのラップフィルムＦに対する接着性が切断端Ｆ１に向かって弱くなっているので、ラップフィルムＦの中央をつまんで、仮留め部４０から剥がす際に、初めは仮留め部４０の接着力が弱く、ラップフィルムＦの中央付近の切断端Ｆ１をつまみ易いと共に、仮留め部４０から抵抗なくラップフィルムＦを引き剥がすことができる。したがって、ラップフィルムＦの切断端Ｆ１に鋸刃３０でできた傷等があっても、仮留め部４０から剥がす際に傷を起点にラップフィルムＦが裂けることを抑制できる。また、仮留め部４０のラップフィルムＦの切断端Ｆ１から離れる方向の上部では、十分な接着力があるので、ラップフィルムＦの巻き戻りを防止できる。なお、仮留め部４０の上部に接着力があっても、ラップフィルムＦの切断端Ｆ１から距離があるので、切断部Ｆ１から裂けが生じることはない。よって、仮留め部４０でラップフィルムＦの巻き戻りを防止しつつ、次の使用時にラップフィルムＦの中央部をつまんで、ラップフィルムＦを、裂けないように仮留め部４０から剥離できる。
【００２４】
なお、仮留め部４０とラップフィルムＦの接着性評価を行ったところ、仮留め部４０をラップフィルムＦの切断端Ｆ１に向かって弱くなるように形成した場合でも、ラップフィルムＦを摘まんで仮留め部４０から剥がす際に、初めは仮留め部４０の接着力が弱いが、切断端Ｆ１から離れる上部では、巻き戻りを防止するのに十分な接着力がある結果となった。
【００２５】
また、上記実施の形態では、仮留め部４０をラップフィルムＦの幅方向に７等分したときの中央部の３つの各領域Ｃ１、Ｃ２、Ｃ３において、ラップフィルムＦに対する接着性が切断端Ｆ１に向かって弱くなるようにしたので、ラップフィルムＦの中央部をつまみ易くしつつ、そのラップフィルムＦの剥離を好適に行うことができる。
【００２６】
なお、ラップフィルムＦに対する接着性を切断端Ｆ１に向けて弱くする領域は、仮留め部４０を７等分したときの中央の５つの領域であってもよい。また、例えば図６に示すように仮留め部４０を７等分した時の全ての領域において、ラップフィルムＦに対する接着性を切断端Ｆ１に向けて弱くしてもよい。
【００２７】
上記実施の形態では、ラップフィルムＦの切断端Ｆ１に向かい幅の狭くなる形体４０ｂを並べて、仮留め部４０の接着性を切断部Ｆ１に向けて弱くしたので、仮留め部４０からラップフィルムＦを引き剥がす感覚が連続的に変化し、ラップフィルムＦの操作が容易になる。
【００２８】
また、図７に示すようにラップフィルムＦの切断端Ｆ１に向かい幅の細くなる形体４０ｂの先端が、ラップフィルムＦの中央Ｐ側に向けられていてもよい。ラップフィルムＦの中央付近をつまんで、仮留め部４０から引き剥がす際には、つまみ位置から放射状にラップフィルムＦが剥がれていくため、形体４０ｂの先端をラップフィルムＦの中央Ｐ側に向けることで、より効果的にラップフィルムの裂けを抑制できる。この際に、放射状の中心は、つまみ位置に由来するため、手の大きさの関係上一点でなくてもよいが、ラップフィルムの切断端Ｆ１の幅方向（前板１４の長手方向）の中央Ｐから１５ｃｍ以内の範囲とするのが好ましい。
【００２９】
また、上記実施の形態では、三角形状の形体４０ｂにより仮留め部４０の接着性を切断部Ｆ１に向けて弱くしていたが、これに限られず、他の形体で仮留め部４０の接着性を弱くしてもよい。
【００３０】
例えば図８に示すように切断端Ｆ１に向かい幅の狭くなる形体４０ｂの先端が平坦（形体４０ｂが台形状）になっていてもよい。また、図９に示すように先細になる形体４０ｂの隣同士の間が湾曲形状であってもよい。
【００３１】
さらに図１０に示すように形体４０ｂが複数の円形の点から構成されていてもよい。この場合、各点が同じ径を有し、その点の数の密度がラップフィルムＦの切断端Ｆ１に向かって下がるようにしてもよい。また、複数の点の１点当たりの面積を切断端Ｆ１に向けて小さくしてもよい。また、これらの点を組み合わせてもよい。
【００３２】
形体４０ｂは、これらの限られず他の形状、配置を有するものであってもよい。また、仮留め部４０の形体４０ｂ部分を除くベース部４０ａなどの上部は、積極的に係止機能を発現するために、フィルム幅方向の接着強度が同じ、例えば同幅のものであってもよい。この場合、同幅部分の幅は、１０ｍｍ以下であることが好ましい。このような範囲であれば、ラップフィルムＦが収納部１９へ巻き戻ることを防止することと、次の使用の際のラップフィルムＦの引き剥がしを容易にすることとのバランスが取りやすく好ましい。また、仮留め部４０の上部の接着強度は、フィルム幅方向に同じでなくてもよい。
【００３３】
また、その他、本発明の仮留め部４０のラップフィルムＦに対する接着性が下方に向かうほど弱くなることを達成させる手段は、特に限定されるものではなく、例えば、仮留め部４０内で素材を変更する方法であってもよい。
【００３４】
以上の実施の形態では、仮留め部４０が、ＵＶ硬化のニスにより形成されていたが、これに特に限定するものではなく、接着性樹脂のような粘着型であっても、非粘着性の表面平滑等による自己密着型であってもよい。
【００３５】
また、以上の実施の形態において、図１１に示すように前板１４に前方に浮き上がるつまみ片５０を設けてもよい。つまみ片５０は、例えば前板１４に切り込み５１を入れることにより形成され、折返し板１８が前板１４の裏面側に折れることにより生じる反作用により、浮き上がる。このような機構と本発明における仮留め部４０の併用により、ラップフィルムＦをよりつまみやすくすることができる。
【００３６】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００３７】
本発明は、ラップフィルム収納箱において、フィルムの巻き戻りを防止しつつ、仮留め部から剥がす際のラップフィルムの裂けを抑制する際に有用である。
【符号の説明】
【００３８】
１  ラップフィルム収納箱
１０  掩蓋片
１１  蓋板
１３  蓋部
１４  前板
１９  収納部
１９ａ  上面開口
２０  開封片
３０  鋸刃
４０  仮留め部
４０ｂ  形体
Ｃ  中央部
Ｓ  側部
Ｒ  フィルム巻回体
Ｆ  ラップフィルム
Ｆ１  切断端
【図１】
2015034045.tif 000003
【図２】
2015034045.tif 000004
【図３】
2015034045.tif 000005
【図４】
2015034045.tif 000006
【図５】
2015034045.tif 000007
【図６】
2015034045.tif 000008
【図７】
2015034045.tif 000009
【図８】
2015034045.tif 000010
【図９】
2015034045.tif 000011
【図１０】
2015034045.tif 000012
【図１１】
2015034045.tif 000013